(57)【要約】本発明は、非同期網と同期網が混在する移動通信網において、パケットデータサービス利用中又は移動通信端末のドーマント状態のハンドオーバーを可能にする移動通信システム及びハンドオーバー方法を提示する。  本発明の移動通信システムは、非同期網のＧＧＳＮ（Ｇａｔｅｗａｙ  ＧＰＲＳ  Ｓｕｐｐｏｒｔ  Ｎｏｄｅ）と同期網のＰＤＳＮ（Ｐａｃｋｅｔ  Ｄａｔａ  Ｓｅｒｖｉｃｅ  Ｎｏｄｅ）が相互に接続しているので、非同期移動通信システムでパケットデータサービスを利用している移動通信端末が同期移動通信システムに移動すれば、非同期移動通信システムの要請に応じて同期移動通信システムでパケットデータ伝送のための制御信号とトラフィック設定を実行し、移動通信端末と同期移動通信システム間に順方向及び逆方向チャンネルが割り当てられれば、パケットデータサービスのための呼設定を実行した後、非同期移動通信システムのノードＢが移動通信端末との接続を解除する。  本発明によれば、パケットデータサービス利用中にサービス断絶現象なしにハンドオーバーを実行することができる利点がある。
2007518344.tif 000002
【特許請求の範囲】
【請求項１】
非同期移動通信システムと同期移動通信システムが混在する移動通信網において、非同期モデム部及び同期モデム部を具備するデュアルバンドデュアルモード移動通信端末のパケットデータサービスのためのハンドオーバー方法であって、前記非同期移動通信システムのＧＧＳＮ（Ｇａｔｅｗａｙ  ＧＰＲＳ  Ｓｕｐｐｏｒｔ  Ｎｏｄｅ）は前記同期移動通信システムのパケットデータサービスノードと接続しており、
前記非同期移動通信システムと接続してパケットデータサービス利用状態にある前記移動通信端末が前記同期移動通信システム側に移動してハンドオーバーイベントが発生すれば、前記非同期移動通信システムのノードＢが前記非同期移動通信システムのＳＧＳＮ／ＧＧＳＮにハンドオーバーの必要性を報告する第１過程；
前記ＳＧＳＮ／ＧＧＳＮが前記同期移動通信システムの交換機にハンドオーバーを要請し、前記同期交換機が前記同期移動通信システムの基地局にハンドオーバーを要請する第２過程；
前記同期移動通信システムでパケットデータ伝送のための制御信号とトラフィック設定過程を行う第３過程；
前記基地局が前記交換機にハンドオーバーが完了したことを報告し、前記移動通信端末に順方向チャンネル割当を行う第４過程；
前記交換機が前記ＳＧＳＮ／ＧＧＳＮにハンドオーバーが完了したことを報告する第５過程；
前記ＳＧＳＮ／ＧＧＳＮが前記ノードＢにハンドオーバーを実行することを命令することによって、前記ノードＢが前記移動通信端末にハンドオーバーを指示する第６過程；
前記移動通信端末と前記同期移動通信システム間に逆方向チャンネル割当及び接続がなされ、前記移動通信端末が前記基地局にハンドオーバーを完了したことを報告する第７過程；
前記同期移動通信システムでパケットデータサービスのための呼設定を行う第８過程；
前記基地局が前記同期交換機にハンドオーバーが完了したことを報告し、前記交換機が前記ＳＧＳＮ／ＧＧＳＮにハンドオーバーを完了したことを知らせる第９過程；及び
前記ＳＧＳＮ／ＧＧＳＮが前記ノードＢに移動通信端末との接続を解除することを要請する第１０過程；
を含むことを特徴とする、ハンドオーバー方法。
【請求項２】
前記第１過程で、前記ＳＧＳＮ／ＧＧＳＮは前記移動通信端末の識別番号を受信することを特徴とする、請求項１に記載のハンドオーバー方法。
【請求項３】
前記第３過程は、
前記基地局が前記同期移動通信システムのパケット制御機にチャンネル割当を要請する段階；
前記パケット制御機が前記同期移動通信システムのパケットデータサービスノードに位置登録を要請し、その結果を受信する段階；
前記パケットデータサービスノードが前記ＳＧＳＮ／ＧＧＳＮに位置登録を要請し、その応答を受信する段階；及び
前記パケット制御機が前記基地局にチャンネル割当情報を伝送する段階；
を含むことを特徴とする、請求項１に記載のハンドオーバー方法。
【請求項４】
前記第６過程で、前記ノードＢが前記移動通信端末に伝送するハンドオーバー指示メッセージは前記同期移動通信システムとのチャンネル割当のための情報を含むことを特徴とする、請求項１に記載のハンドオーバー方法。
【請求項５】
前記第８過程は、
前記基地局が前記同期移動通信システムのパケット制御機に呼設定を要求する段階；
前記パケット制御機が前記同期移動通信システムのパケットデータサービスノードに位置登録を要請し、その結果を受信する段階；
前記パケットデータサービスノードが前記ＳＧＳＮ／ＧＧＳＮに位置登録を要請し、その応答を受信する段階；及び
前記パケット制御機が前記基地局に呼設定が完了したことを報告する段階；
を含むことを特徴とする、請求項１に記載のハンドオーバー方法。
【請求項６】
前記非同期移動通信システムのＧＧＳＮ（Ｇａｔｅｗａｙ  ＧＰＲＳ  Ｓｕｐｐｏｒｔ  Ｎｏｄｅ）は、前記同期移動通信システムのパケットデータサービスノードとＰ−Ｐ（パケットデータ−パケットデータ）インターフェースによって接続されることを特徴とする、請求項１に記載のハンドオーバー方法。
【請求項７】
非同期移動通信システムと同期移動通信システムが混在する移動通信網において、非同期モデム部及び同期モデム部を具備するデュアルバンドデュアルモード移動通信端末のパケットデータサービスのためのハンドオーバー方法であって、前記非同期移動通信システムのＧＧＳＮ（Ｇａｔｅｗａｙ  ＧＰＲＳ  Ｓｕｐｐｏｒｔ  Ｎｏｄｅ）は前記同期移動通信システムのパケットデータサービスノードと接続しており、
前記非同期移動通信システムとドーマント状態にある前記移動通信端末が前記同期移動通信システム側に移動すれば、前記非同期移動通信システムのＳＧＳＮ／ＧＧＳＮがハンドオーバーの必要性を受信する第１過程；
前記ＳＧＳＮ／ＧＧＳＮが前記同期移動通信システムの基地局にハンドオーバーを実行することを命令する第２過程；
前記移動通信端末が前記基地局に発信を試み、前記基地局と同期移動通信システムの交換期間に呼処理及びチャンネル割当を行う第３過程；
前記移動通信端末と前記基地局間に呼処理設定関連交渉を行う第４過程；
前記同期移動通信システムでトランク設定を行う第５過程；
前記移動通信端末と前記基地局間の無線リンクプロトコルを初期化する第６過程；及び
前記基地局が前記交換機にチャンネル割当が完了したことを報告する第７過程；
を含むことを特徴とする、ハンドオーバー方法。
【請求項８】
前記第１過程で、前記ＳＧＳＮ／ＧＧＳＮは、前記非同期移動通信システムのノードＢ又は前記同期移動通信システムの基地局からハンドオーバーが必要であるという報告を受けることを特徴とする、請求項７に記載のハンドオーバー方法。
【請求項９】
前記第１過程で、前記ＳＧＳＮ／ＧＧＳＮは前記移動通信端末の識別番号を受信することを特徴とする、請求項７に記載のハンドオーバー方法。
【請求項１０】
前記第２過程で、前記ＳＧＳＮ／ＧＧＳＮの前記移動通信端末へのハンドオーバー実行命令メッセージは、チャンネル割当情報、トラフィックチャンネル進入情報を含むことを特徴とする、請求項７に記載のハンドオーバー方法。
【請求項１１】
前記第３過程は、
前記移動通信端末の発信試みによって前記基地局が前記交換機にサービス要請メッセージを伝送する段階；
前記交換機が前記基地局にチャンネル割当を要請する段階；及び
前記基地局が前記移動通信端末にチャンネル割当メッセージを伝送する段階；
を含むことを特徴とする、請求項７に記載のハンドオーバー方法。
【請求項１２】
前記第５過程は、
前記基地局が前記同期移動通信システムのパケット制御機にトランク設定を要請する段階；
前記パケット制御機がパケットデータサービスノードにトランク設定を要請し、応答を受信する段階；及び
前記パケット制御機が前記パケットデータサービスノードの応答信号を前記基地局に伝送する段階；
を含むことを特徴とする、請求項７に記載のハンドオーバー方法。
【請求項１３】
前記非同期移動通信システムのＧＧＳＮ（Ｇａｔｅｗａｙ  ＧＰＲＳ  Ｓｕｐｐｏｒｔ  Ｎｏｄｅ）は、前記同期移動通信システムのパケットデータサービスノードとＰ−Ｐ（パケットデータ−パケットデータ）インターフェースによって接続されることを特徴とする、請求項７に記載のハンドオーバー方法。
【請求項１４】
非同期モデム部及び同期モデム部を具備するデュアルバンドデュアルモード移動通信端末との無線区間通信のための基地局としてのノードＢ；無線網制御機；ＳＧＳＮ（Ｓｅｒｖｉｎｇ  ＧＰＲＳ  Ｓｕｐｐｏｒｔ  Ｎｏｄｅ）；ＧＧＳＮ（Ｇａｔｅｗａｙ  ＧＰＲＳ  Ｓｕｐｐｏｒｔ  Ｎｏｄｅ）；を含む非同期移動通信システムと、前記移動通信端末との無線区間通信を支援する基地局；パケット制御機；パケットデータサービスノードを含む同期移動通信システムとが混在しており、前記移動通信端末のパケットデータサービス利用中にハンドオーバーが可能な移動通信システムであって、
前記ＧＧＳＮは、コーディング、変造を実行するための階層Ｌ１、メッセージ伝送のための応答を処理するための階層Ｌ２、前記階層Ｌ２のトンネリングのための階層によって前記ＩＰ網と通信し、前記階層Ｌ１、階層Ｌ２、メッセージ交換を実行するためのＵＤＰ／ＩＰ階層、パケットデータと情報流れを定義するためのＧＴＰ（ＧＰＲＳ  Ｔｕｎｎｅｌｉｎｇ  Ｐｒｏｔｏｃｏｌ）−Ｕ階層によって前記ＳＧＳＮと通信し、前記階層Ｌ１、階層Ｌ２、ＵＤＰ／ＩＰ階層、パケット暗号化、圧縮を実行するためのＧＲＥ（Ｇｅｎｅｒｉｃ  Ｒｏｕｔｉｎｇ  Ｅｎｃａｐｓｕｌａｔｉｏｎ）階層、及びリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層によって前記パケットデータサービスノードと通信し、ＰＰＰ（Ｐｏｉｎｔ−ｔｏ−Ｐｏｉｎｔ  Ｐｒｏｔｏｃｏｌ）階層によってパケットデータサービスを提供し、
前記ＳＧＳＮのプロトコルスタックは、前記ＧＧＳＮのＬ１階層に対応するＬ１ｂｉｓ階層、前記Ｌ２階層に対応してパケットデータの生成、抽出、交換を行うＡＴＭ（Ａｓｙｎｃｈｒｏｎｏｕｓ  Ｔｒａｎｓｆｅｒ  Ｍｏｄｅ）階層、ＵＤＰ／ＩＰ階層及びＧＴＰ−Ｕ階層を含み、
前記ノードＢ／無線網制御機のプロトコルスタックは、前記ＳＧＳＮの前記Ｌ１ｂｉｓ階層に対応するＬ１階層、前記ＡＴＭ階層に対応してマルチメディアデータ処理のための無線資源割当を行うＭＡＣ（Ｍｅｄｉａ  Ａｃｃｅｓｓ  Ｃｏｎｔｒｏｌ）階層、ＵＤＰ／ＩＰ階層に対応して移動通信端末と無線リンク設定を実行し、パケットデータの組合せ、分割を実行するためのＲＬＣ（Ｒａｄｉｏ  Ｌｉｎｋ  Ｃｏｎｔｒｏｌ）階層、ＧＴＰ−Ｕ階層に対応してパケットデータヘッダーの圧縮を実行するためのＰＤＣＰ（Ｐａｃｋｅｔ  Ｄａｔａ  Ｃｏｎｖｅｒｇｅｎｃｅ  Ｐｒｏｔｏｃｏｌ）階層を含み、
前記移動通信端末の非同期モデム部は、前記ノードＢ／無線網制御機の前記ＭＡＣ／ＲＬＣ／ＰＤＣＰ階層に対応してリンクの接続と解除のためのリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層、前記ＧＧＳＮのＰＰＰ階層によるデータを受信するＰＰＰ階層を含むプロトコルスタックによってデータ通信を行うことを特徴とする、移動通信システム。
【請求項１５】
前記ＧＧＳＮと接続するパケットデータサービスノードは、前記Ｌ１階層に対応するＬ１ｂｉｓ階層、前記Ｌ２階層に対応してパケットデータの生成、抽出、交換を行うＡＴＭ（Ａｓｙｎｃｈｒｏｎｏｕｓ  Ｔｒａｎｓｆｅｒ  Ｍｏｄｅ）階層、ＵＤＰ／ＩＰ階層、ＧＴＰ−Ｕ階層を含み、
前記基地局／パケット制御機のプロトコルスタックは、前記パケットデータサービスノードのＬ１ｂｉｓ階層に対応するＬ１階層、前記ＡＴＭ階層に対応してマルチメディアデータ処理のための無線資源割当を行うＭＡＣ（Ｍｅｄｉａ  Ａｃｃｅｓｓ  Ｃｏｎｔｒｏｌ）階層、ＵＤＰ／ＩＰ階層に対応して無線区間で発生するエラーを防止するために、エラーが発生したフレームの再伝送を要求するためのＲＬＰ（Ｒａｄｉｏ  Ｌｉｎｋ  Ｐｒｏｔｏｃｏｌ）階層を含み、
前記移動通信端末の同期モデム部は、Ｌ１階層、前記ＭＡＣ／ＲＬＰ階層に対応してリンクの接続と解除のためのリンク管理、同期化問題、流れ制御、エラー制御を実行するため
のＨＤＬＣ（Ｈｉｇｈ−ｌｅｖｅｌ  Ｄａｔａ  Ｌｉｎｋ  Ｃｏｎｔｒｏｌ）フレーミング階層、前記ＧＧＳＮのＰＰＰ階層によるデータを受信するＰＰＰ階層を含むプロトコルスタックによってデータ通信を実行し、
前記移動通信端末の共通モジュールは、前記非同期モデム部及び前記同期モデム部から受信したデータのプロトコル変換のために、Ｌ１階層、ＰＰＰ階層、ＩＰ階層、伝送（Ｔｒａｎｓｐｏｒｔ）階層、応用（Ａｐｐｌｉｃａｔｉｏｎ）階層を通じてデータ通信を行うことを特徴とする、移動通信システム。
【発明の詳細な説明】
【技術分野】
【０００１】
本発明は非同期網と同期網が混在する移動通信網におけるパケットデータサービスのためのハンドオーバー方法に係り、より詳しくは非同期網と同期網が混在する移動通信網において非同期網のＧＧＳＮ（Ｇａｔｅｗａｙ  ＧＰＲＳ  Ｓｕｐｐｏｒｔ  Ｎｏｄｅ）と同期網のＰＤＳＮ（Ｐａｃｋｅｔ  Ｄａｔａ  Ｓｅｒｖｉｃｅ  Ｎｏｄｅ）が相互に接続している場合、パケットデータサービス利用中又は移動通信端末のドーマント（ｄｏｒｍａｎｔ）状態のハンドオーバーを可能にする動通信システム及びハンドオーバー方法に関するものである。
【背景技術】
【０００２】
移動通信技術の発展につれて、移動通信網は世代を繰り返えして変化しており、現在は２世代又は２．５世代網と呼ばれる同期移動通信システム（ＣＤＭＡ移動通信システム）と３世代網と呼ばれる非同期移動通信システム（ＷＣＤＭＡ移動通信システム）が共存している形態を取っている。
【０００３】
また、移動通信システム間グローバルローミングを支援するために、同期方式のシステムと非同期方式のシステムで共に使用可能な移動通信端末（Ｄｕａｌ  Ｂａｎｄ  Ｄｕａｌ  Ｍｏｄｅ  Ｔｅｒｍｉｎａｌ；ＤＢＤＭ移動通信端末）が開発されており、このような移動通信端末を利用することにより、非同期方式システム領域及び同期方式システム領域のそれぞれで相違なる方式のサービスを利用することができる。
【０００４】
現在、非同期移動通信システムはサービス要求が多い地域を中心として構築されており、これにより、同期方式の移動通信システムはそのサービス領域が非同期方式システムのサービス領域を含む形態に進化している。ところが、非同期移動通信システムは未だサービス初期段階にあり、システム具現に莫大な投資額が必要であるから、広い地域をサービスすることができなくて同期移動通信システム領域に重畳する形態に具現されている。
【０００５】
これにより、非同期移動通信システムのサービス領域が制限されるため、非同期移動通信システム加入者が非同期領域でパケットデータサービスを利用しているうちに非同期移動通信サービスの提供されない同期領域に移動する場合、サービスが断絶される問題点がある。
【０００６】
また、非同期移動通信システム加入者が非同期領域でドーマント（ｄｏｒｍａｎｔ）状態にあるうちに非同期移動通信サービスの提供されない同期領域に移動する場合、サービスが断絶される問題点がある。
【０００７】
ここで、ドーマント状態と言うのは、パケットデータサービスを用いる移動通信端末と移動通信システムとの間にデータ送受信がない時に接続中断状態になり、データ通信信号が発生すればすぐアクティブ状態に遷移することができる状態を意味する。非同期移動通信システムから同期移動通信システムへのハンドオーバーの時、ドーマント状態が維持されなければ、すなわちパケットデータサービスがまったく解除されれば、移動通信端末はパケットデータサービスのために、同期移動通信システムへの接続過程を最初から再び行わなければならなく、これにより接続時間が遅延されるなど、サービス品質が低下する欠点がある。
【０００８】
このように、非同期移動通信システムと同期移動通信システムが共存しており、非同期移動通信システム領域が同期移動通信システム領域より小さな場合、非同期及び同期移動通信システム間の連続的なパケットデータサービスを提供するためのハンドオーバーが必要になる。
【発明の開示】
【０００９】
本発明は前述した問題点を解決するためになされたもので、非同期網でパケットデータサービスを利用している移動通信端末が同期網に移動する場合、連続的なパケットデータサービスを提供することにより、サービス断絶現象を防止することができる移動通信システム及びハンドオーバー方法を提供することにその技術的課題がある。
【００１０】
また、本発明は、非同期網でパケットデータサービスのためにドーマント状態にある移動通信端末が同期網に移動する場合、非同期網のＧＧＳＮ（Ｇａｔｅｗａｙ  ＧＰＲＳ  Ｓｕｐｐｏｒｔ  Ｎｏｄｅ）と同期網のＰＤＳＮ（Ｐａｃｋｅｔ  Ｄａｔａ  Ｓｅｒｖｉｃｅ  Ｎｏｄｅ）間の相互接続関係を利用してハンドオーバーを実行することにより、移動通信端末が同期網にハンドオーバーした場合にもドーマント状態を維持して、パケットデータサービスが直ちに開始できる移動通信システム及びハンドオーバー方法を提供することにその技術的課題がある。
【発明を実施するための最良の形態】
【００１１】
前述した目的を達成するための本発明は、非同期移動通信システムと同期移動通信システムが混在する移動通信網において、非同期モデム部及び同期モデム部を具備するデュアルバンドデュアルモード移動通信端末のパケットデータサービスのためのハンドオーバー方法であって、前記非同期移動通信システムのＧＧＳＮ（Ｇａｔｅｗａｙ  ＧＰＲＳ  Ｓｕｐｐｏｒｔ  Ｎｏｄｅ）は前記同期移動通信システムのパケットデータサービスノードと接続しており、
前記非同期移動通信システムと接続してパケットデータサービス利用状態にある前記移動通信端末が前記同期移動通信システム側に移動してハンドオーバーイベントが発生すれば、前記非同期移動通信システムのノードＢが前記非同期移動通信システムのＳＧＳＮ／ＧＧＳＮにハンドオーバーの必要性を報告する第１過程；前記ＳＧＳＮ／ＧＧＳＮが前記同期移動通信システムの交換機にハンドオーバーを要請し、前記同期交換機が前記同期移動通信システムの基地局にハンドオーバーを要請する第２過程；前記同期移動通信システムでパケットデータ伝送のための制御信号とトラフィック設定過程を行う第３過程；前記基地局が前記交換機にハンドオーバーが完了したことを報告し、前記移動通信端末に順方向チャンネル割当を行う第４過程；前記交換機が前記ＳＧＳＮ／ＧＧＳＮにハンドオーバーが完了したことを報告する第５過程；前記ＳＧＳＮ／ＧＧＳＮが前記ノードＢにハンドオーバーを実行することを命令することによって、前記ノードＢが前記移動通信端末にハンドオーバーを指示する第６過程；前記移動通信端末と前記同期移動通信システム間に逆方向チャンネル割当及び接続がなされ、前記移動通信端末が前記基地局にハンドオーバーを完了したことを報告する第７過程；前記同期移動通信システムでパケットデータサービスのための呼設定を行う第８過程；前記基地局が前記同期交換機にハンドオーバーが完了したことを報告し、前記交換機が前記ＳＧＳＮ／ＧＧＳＮにハンドオーバーを完了したことを知らせる第９過程；及び前記ＳＧＳＮ／ＧＧＳＮが前記ノードＢに移動通信端末との接続を解除することを要請する第１０過程；を含む。
【００１２】
ほかの本発明は、非同期移動通信システムと同期移動通信システムが混在する移動通信網において、非同期モデム部及び同期モデム部を具備するデュアルバンドデュアルモード移動通信端末のパケットデータサービスのためのハンドオーバー方法であって、前記非同期移動通信システムのＧＧＳＮ（Ｇａｔｅｗａｙ  ＧＰＲＳ  Ｓｕｐｐｏｒｔ  Ｎｏｄｅ）は前記同期移動通信システムのパケットデータサービスノードと接続しており、
前記非同期移動通信システムとドーマント状態にある前記移動通信端末が前記同期移動通信システム側に移動すれば、前記非同期移動通信システムのＳＧＳＮ／ＧＧＳＮがハンドオーバーの必要性を受信する第１過程；前記ＳＧＳＮ／ＧＧＳＮが前記同期移動通信システムの基地局にハンドオーバーを実行することを命令する第２過程；前記移動通信端末が前記基地局に発信を試み、前記基地局と同期移動通信システムの交換期間に呼処理及びチャンネル割当を行う第３過程；前記移動通信端末と前記基地局間に呼処理設定関連交渉を行う第４過程；前記同期移動通信システムでトランク設定を行う第５過程；前記移動通信端末と前記基地局間の無線リンクプロトコルを初期化する第６過程；及び前記基地局が前記交換機にチャンネル割当が完了したことを報告する第７過程；を含む。
【００１３】
さらにほかの本発明は、非同期モデム部及び同期モデム部を具備するデュアルバンドデュアルモード移動通信端末との無線区間通信のための基地局としてのノードＢ；無線網制御機；ＳＧＳＮ（Ｓｅｒｖｉｎｇ  ＧＰＲＳ  Ｓｕｐｐｏｒｔ  Ｎｏｄｅ）；ＧＧＳＮ（Ｇａｔｅｗａｙ  ＧＰＲＳ  Ｓｕｐｐｏｒｔ  Ｎｏｄｅ）；を含む非同期移動通信システムと、前記移動通信端末との無線区間通信を支援する基地局；パケット制御機；パケットデータサービスノードを含む同期移動通信システムとが混在しており、前記移動通信端末のパケットデータサービス利用中にハンドオーバーが可能な移動通信システムであって、
前記ＧＧＳＮは、コーディング、変造を実行するための階層Ｌ１、メッセージ伝送のための応答を処理するための階層Ｌ２、前記階層Ｌ２のトンネリングのための階層によって前記ＩＰ網と通信し、前記階層Ｌ１、階層Ｌ２、メッセージ交換を実行するためのＵＤＰ／ＩＰ階層、パケットデータと情報流れを定義するためのＧＴＰ（ＧＰＲＳ  Ｔｕｎｎｅｌｉｎｇ  Ｐｒｏｔｏｃｏｌ）−Ｕ階層によって前記ＳＧＳＮと通信し、前記階層Ｌ１、階層Ｌ２、ＵＤＰ／ＩＰ階層、パケット暗号化、圧縮を実行するためのＧＲＥ（Ｇｅｎｅｒｉｃ  Ｒｏｕｔｉｎｇ  Ｅｎｃａｐｓｕｌａｔｉｏｎ）階層、及びリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層によって前記パケットデータサービスノードと通信し、ＰＰＰ（Ｐｏｉｎｔ−ｔｏ−Ｐｏｉｎｔ  Ｐｒｏｔｏｃｏｌ）階層によってパケットデータサービスを提供し、
前記ＳＧＳＮのプロトコルスタックは、前記ＧＧＳＮのＬ１階層に対応するＬ１ｂｉｓ階層、前記Ｌ２階層に対応してパケットデータの生成、抽出、交換を行うＡＴＭ（Ａｓｙｎｃｈｒｏｎｏｕｓ  Ｔｒａｎｓｆｅｒ  Ｍｏｄｅ）階層、ＵＤＰ／ＩＰ階層及びＧＴＰ−Ｕ階層を含み、
前記ノードＢ／無線網制御機のプロトコルスタックは、前記ＳＧＳＮの前記Ｌ１ｂｉｓ階層に対応するＬ１階層、前記ＡＴＭ階層に対応してマルチメディアデータ処理のための無線資源割当を行うＭＡＣ（Ｍｅｄｉａ  Ａｃｃｅｓｓ  Ｃｏｎｔｒｏｌ）階層、ＵＤＰ／ＩＰ階層に対応して移動通信端末と無線リンク設定を実行し、パケットデータの組合せ、分割を実行するためのＲＬＣ（Ｒａｄｉｏ  Ｌｉｎｋ  Ｃｏｎｔｒｏｌ）階層、ＧＴＰ−Ｕ階層に対応してパケットデータヘッダーの圧縮を実行するためのＰＤＣＰ（Ｐａｃｋｅｔ  Ｄａｔａ  Ｃｏｎｖｅｒｇｅｎｃｅ  Ｐｒｏｔｏｃｏｌ）階層を含み、
前記移動通信端末の非同期モデム部は、前記ノードＢ／無線網制御機の前記ＭＡＣ／ＲＬＣ／ＰＤＣＰ階層に対応してリンクの接続と解除のためのリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層、前記ＧＧＳＮのＰＰＰ階層によるデータを受信するＰＰＰ階層を含むプロトコルスタックによってデータ通信を行う。
【００１４】
以下、添付図面に基づいて本発明の好適な実施例をより詳細に説明する。
図１は本発明が適用される移動通信網の構成図であって、パケットデータサービスを提供するための構成要素を主として示す。
【００１５】
本発明に適用される移動通信端末１０はデュアルバンドデュアルモード（以下、'ＤＢＤＭ'という）移動通信端末で、非同期移動通信サービスと同期移動通信サービスを同時に提供可能な形態であり、非同期移動通信システム２０及び同期移動通信システム３０と選択的に無線で接続して音声及びデータサービスを利用することができる。その具体的な説明は図２及び図３を参照して後述する。
【００１６】
非同期移動通信システム２０は、移動通信端末１０との無線区間通信のための基地局としてのノードＢ２１０、ノードＢ２１０の制御のための無線網制御機（ＲＮＣ）２２０、無線網制御機２２０と連結され、移動通信端末１０へ音声サービスを提供するための呼交換を行う非同期交換機（ＭＳＣ）２３０、無線網制御機２２０とＧＰＲＳ（Ｇｅｎｅｒａｌ  Ｐａｃｋｅｔ  Ｒａｄｉｏ  Ｓｅｒｖｉｃｅ）網２５０との間に連結され、移動通信端末１０の位置トラックを維持し、アクセス制御及び保安機能を行うＳＧＳＮ（Ｓｅｒｖｉｎｇ  ＧＰＲＳ  Ｓｕｐｐｏｒｔ  Ｎｏｄｅ）２４０、及びＳＧＳＮ２４０とＧＰＲＳ（Ｇｅｎｅｒａｌ  Ｐａｃｋｅｔ  Ｒａｄｉｏ  Ｓｅｒｖｉｃｅ）網２５０を介して連結され、ＩＰ網４０に接続して外部パケットとの連動を支援するＧＧＳＮ（Ｇａｔｅｗａｙ  ＧＰＲＳ  Ｓｕｐｐｏｒｔ  Ｎｏｄｅ）２６０を含む。
【００１７】
また、同期移動通信システム３０は、移動通信端末１０との無線区間通信を支援する基地局３１０、基地局３１０を制御するための基地局制御機（ＢＳＣ）及びパケットデータサービスのための無線資源管理などパケットデータサービスの提供時、基地局制御機（ＢＳＣ）と類似の役目をするパケット制御機（Ｐａｃｋｅｔ  Ｃｏｎｔｒｏｌ  Ｆｕｎｃｔｉｏｎ；ＰＣＦ）３２０、一つ以上の基地局制御機と連結され、呼交換を実行するための交換機（ＭＳＣ）３３０、パケット制御機３２０と接続し、移動通信端末１０とＰＰＰセッションを設定し、外部ノードとの接続を実行し、移動通信端末１０の位置登録のための外部エージェント（Ｆｏｒｅｉｇｎ  Ａｇｅｎｔ；ＦＡ）機能をして加入者にパケットデータサービスを提供するためのパケットデータサービスノード（ＰＤＳＮ）３４０、パケットデータサービスノード３４０とＩＰ網４０間の接続を支援するためのデータコア網（ＤＣＮ、図示せず）、移動通信端末１０の認証を実行し、パケットデータを外部エージェントに伝達するためのホームエージェント（Ｈｏｍｅ  Ａｇｅｎｔ）３５０、及び移動通信端末の認証（Ａｕｔｈｅｎｔｉｃａｔｉｏｎ）、権限付与（Ａｕｔｈｏｒｉｚａｔｉｏｎ）及び課金（Ａｃｃｏｕｎｔ）機能をするＡＡＡ３６０を含んで構成される。
【００１８】
図示しなかったが、非同期移動通信システム２０及び同期移動通信システム３０の交換機２３０、３３０はＮｏ．７共通信号網によって相互に接続され、移動通信端末１０のハンドオーバーなどに必要な情報を送受信することになる。また、非同期移動通信システム２０のＧＧＳＮ２６０と同期移動通信システム３０のＰＤＳＮ３４０はＰ−Ｐ（Ｐａｃｋｅｔ  Ｄａｔａ−Ｐａｃｋｅｔ  Ｄａｔａ）インターフェースによって制御信号及びトラフィックを伝送することができる。Ｐ−Ｐインターフェースは元々同期移動通信システムでＰＤＳＮ間の通信のためのインターフェースであるが、これを非同期移動通信システムのＧＧＳＮ２６０との通信に適用することで非同期網と同期網間の信号交換を容易に行える。
【００１９】
このような移動通信システムにおいて、本発明の移動通信端末１０は、非同期移動通信システム２０と同期移動通信システム３０に選択的に接続して、二つのシステムの信号処理状況を伝送し処理する。
【００２０】
図２は本発明に適用される移動通信端末の一例示図で、非同期網及び同期網との無線通信のための機能部を独立して具現した場合を示す。
図示のように、本発明に適用されるＤＢＤＭ移動通信端末１０は、アンテナ１１０、非同期移動通信サービスのためのモジュール１２０、同期移動通信サービスのためのモジュール１３０、及び共通モジュール１４０を含んで構成される。
【００２１】
アンテナ１１０は、同期移動通信サービスのための周波数帯域と非同期移動通信サービスのための周波数帯域を同時に処理することが可能である。
非同期モジュール１２０は、それぞれの周波数を区分して処理するバンドパスフィルターとして動作するデュプレクサ１２１、送受信電波を決まった周波数帯域に分離する非同期無線送受信部１２２、及び非同期移動通信システムとの無線区間プロトコルを処理する非同期モデム部１２３を含み、同期モジュール１３０は、それぞれの周波数を区分して処理するバンドパスフィルターとして動作するデュプレクサ１３１、送受信電波を決まった周波数帯域に分離する同期無線送受信部１３２、及び同期移動通信システムとの無線区間プロトコルを処理する同期モデム部１３３を含む。
【００２２】
共通モジュール１４０は非同期モデム部１２３及び同期モデム部１３３を制御するための中央処理装置として動作し、マルチメディア機能を行うアプリケーションプロセッサ、メモリ、入出力部、その他の応用処理部などを含む。
【００２３】
また、ＤＢＤＭ移動通信端末１０には、使用者インターフェース、付加サービス、移動性管理、接続／セッション制御、リソース制御、プロトコル処理のためのソフトウェアが搭載されることにより、使用者が各種応用サービスを利用することができるようにし、ハンドオーバーを実行し、移動通信システムに合うようにプロトコル変換を行う。
【００２４】
本実施例による移動通信端末において、共通モジュール１４０によって非同期モジュール１２０の非同期モデム部１２３及び同期モジュール１３０の同期モデム部１３３の制御を行うことも可能であり、非同期モデム部１２３及び同期モデム部１３３のいずれか一つのモデム部が全体移動通信端末の制御を実行することも可能である。
【００２５】
図３は本発明に適用される移動通信端末の他の例示図で、非同期網及び同期網との無線通信のための機能部が一体型に具現された場合を示す。
図示のように、本発明に適用されるＤＢＤＭ移動通信端末１０は、アンテナ１５０、デュプレクサ１６０、マルチバンド無線送受信部１７０、マルチモードモデム部１８０、及びその他の処理モジュール１９０を含んで構成される。
【００２６】
アンテナ１５０は、同期移動通信サービスのための周波数帯域と非同期移動通信サービスのための周波数帯域を同時に処理することが可能である。
デュプレクサ１６０は非同期網からの周波数及び同期網からの周波数をそれぞれ区分して処理するバンドパスフィルターとして動作し、マルチバンド無線送受信部１７０は送受信電波を決まった周波数帯域に分離し、マルチモードモデム部１８０は非同期移動通信システム又は同期移動通信システムとの無線区間プロトコルを処理する。
【００２７】
その他の処理モジュール１９０はマルチモードモデム部１８０を制御するための中央処理装置として動作し、マルチメディア機能を行うアプリケーションプロセッサ、メモリ、入出力部、その他の応用処理部などを含む。
【００２８】
また、ＤＢＤＭ移動通信端末１０には、使用者インターフェース、付加サービス、移動性管理、接続／セッション制御、リソース制御、プロトコル処理のためのソフトウェアが搭載されることにより、使用者が各種応用サービスを利用することができるようにし、ハンドオーバーを実行し、移動通信システムに合うようにプロトコル変換を行う。
【００２９】
このように、無線送受信部及びモデム部を一体化して具現する場合、移動通信端末１０の大きさを縮小することができ、電力消耗を減少させることができ、モデムメモリを共有することができるなどの利点を得ることができる。
【００３０】
図４Ａ及び４Ｂは非同期網と同期網が混在する移動通信網においてパケットデータサービスのためのハンドオーバー概念図である。
一つの移動通信システムにおいて、ハンドオーバー（又はハンドオフ）は、移動通信端末が移動通信システムの一セルから他のセルに移動する場合、使用者が通話の断絶なしに通信することができるようにする技術を意味するが、本発明は同期移動通信システムと非同期移動通信システムが混在する網において、ＤＢＤＭ移動通信端末のハンドオーバー方法であって、移動通信端末１０が同期領域Ｂから非同期領域Ａに移動した場合と、移動通信端末１０が非同期領域Ａから同期領域Ｂに移動した場合のうち、後者に限定して説明することにする。
【００３１】
まず、図４Ａを参照すれば、非同期領域ＡでノードＢ２１０、ＳＧＳＮ２４０、ＧＧＳＮ２６０を介してＩＰ網４０に接続して、ＣＰサーバー５０から提供するパケットデータサービスを利用している移動通信端末１０が、非同期領域Ａと同期領域Ｂの重畳領域Ｃを通して次第に同期領域Ｂに接近すれば、非同期移動通信システムのノードＢ２１０と移動通信端末１０間の送受信電力が徐々に減殺し、電力減殺を感知した非同期移動通信システムは同期移動通信システムにハンドオーバーを要請し、これを受信した同期移動通信システムは移動通信端末１０にパケットデータサービスのためのチャンネル割当を実行する。
【００３２】
同期移動通信システムと移動通信端末１０間のチャンネル割当が完了すれば、非同期移動通信システムは移動通信端末にハンドオーバーを指示して、同期移動通信システムへのハンドオーバーがなされるようにし、移動通信端末が同期移動通信システムへの接続を完了すれば、同期移動通信システムは非同期移動通信システムにハンドオーバーが完了したことを知らせ、これにより非同期移動通信システムのノードＢ２１０は移動通信端末１０との接続を解除する。
【００３３】
本発明において、非同期網のＧＧＳＮ２６０と同期網のＰＤＳＮ３４０がＰ−Ｐインターフェースによって制御信号及びトラフィックを送受信することができるので、移動通信端末１０はノードＢ２１０との接続を解除し、同期網のＢＴＳ３１０と接続すれば、非同期網のＧＧＳＮ２６０を通じて続けてパケットデータサービスを利用することができることになる。
【００３４】
結果的に、図４Ｂを参照すれば、同期移動通信システム領域Ｂにハンドオーバーした移動通信端末は、ＢＴＳ３１０、ＰＣＦ３２０、ＰＤＳＮ３４０を介してＰＤＳＮ３４０とＰ−Ｐインターフェースされている非同期移動通信システムのＧＧＳＮ２６０に接続し、ＩＰ網４０を通じてＣＰサーバー５０から提供されるパケットデータサービスを続けて利用することができる。
【００３５】
このような過程を図５を参照して具体的に説明すれば次のようである。
図５は本発明の一実施例によるハンドオーバー方法を説明するためのフローチャートで、非同期網のＧＧＳＮ２６０と同期網のＰＤＳＮ３４０がＰ−Ｐインターフェースされている場合、パケットデータサービス利用中の移動通信端末のハンドオーバー方法を説明するための図である。
【００３６】
非同期網でパケットデータサービスを利用している移動通信端末１０が同期網領域に移動すれば、非同期網のノードＢ２１０は移動通信端末１０との送受信電力減殺によってハンドオーバーが必要であると判断し、これをＳＧＳＮ２４０／ＧＧＳＮ２６０に報告する（ＳＲＮＳ  Ｒｅｌｏｃａｔｉｏｎ  Ｒｅｑｕｉｒｅｄ）（Ｓ１０１）。この時、移動通信端末１０の識別番号を共に伝送し、ＳＧＳＮ２４０／ＧＧＳＮ２６０は同期網の交換機（ＭＳＣ）３３０にハンドオーバーを要請する（ＦＡＣＤＩＲ２）（Ｓ１０２）。
【００３７】
これにより、交換機３３０は基地局（ＢＴＳ）３１０にハンドオーバーを要請し（Ｈａｎｄｏｆｆ  Ｒｅｑｕｅｓｔ）、基地局（ＢＴＳ）３１０は同期網でパケットデータ伝送のための制御信号とトラフィック設定過程を実行することになる。このために、まず、基地局（ＢＴＳ）３１０はパケット制御機（ＰＣＦ）３２０にチャンネル割当を要請し（Ａ９−ｓｅｔｕｐ）（Ｓ１０４）、これによりパケット制御機（ＰＣＦ）３２０がパケットデータサービスノード／外部エージェント（ＰＤＳＮ／ＦＡ）３４０に位置登録を要請し、その結果を受信し（Ａ１１−Ｒｅｇ．  Ｒｅｑ／ｒｅｐｌｙ）（Ｓ１０５）、ＰＤＳＮ／ＦＡ３４０がＳＧＳＮ２４０／ＧＧＳＮ２６０にＰ−Ｐインターフェースを介して位置登録を要請し、その応答を受信した後（Ｐ−Ｐ  Ｒｅｇｉｓｔｒａｔｉｏｎ  ｒｅｑ／ｒｅｐｌｙ）（Ｓ１０６）、基地局（ＢＴＳ）３１０にチャンネル割当情報を伝送する（Ａ９−ｃｏｎｎｅｃｔ）（Ｓ１０７）。
【００３８】
このようにチャンネル割当が完了すれば、基地局（ＢＴＳ）３１０は交換機（ＭＳＣ）３３０にハンドオーバーが完了したことを報告し（Ｈａｎｄｏｆｆ  Ｒｅｑ．  Ａｃｋ）（Ｓ１０８）、移動通信端末に順方向トラフィック伝送のための順方向基本チャンネル（Ｆｏｒｗａｒｄ  Ｆｕｎｄａｍｅｎｔａｌ  Ｃｈａｎｎｅｌ；Ｆ−ＦＣＨ）を通じてナル（ＮＵＬＬ）フレームを伝送（Ｆ−ＦＣＨ  ｆｒａｍｅｓ）（Ｓ１０９）することで、順方向チャンネルが割り当てられる。
【００３９】
また、ハンドオーバーが完了したという報告を受けた交換機（ＭＳＣ）３３０はＳＧＳＮ２４０／ＧＧＳＮ２６０にハンドオーバーが完了したことを報告し（ｆａｃｄｉｒ２）（Ｓ１１０）、これを受信したＳＧＳＮ２４０／ＧＧＳＮ２６０はノードＢ２１０にハンドオーバーを実行することを命令する（ＳＲＳＮ  Ｒｅｌｏｃａｔｉｏｎ  Ｃｏｍｍａｎｄ）（Ｓ１１１）。
【００４０】
以後、ノードＢ２１０は移動通信端末にハンドオーバーを指示する（ＨＡＮＤＯＶＥＲ  ＦＲＯＭ  ＵＴＲＡＮ  ＣＭＤ）（Ｓ１１２）。このメッセージには同期移動通信システム関連メッセージが含まれ、特にチャンネル割当のための情報が含まれることになる。ハンドオーバー指示メッセージを受信した移動通信端末は、同期モジュールを駆動して同期移動通信システムとの通信準備をし、同期モードへの転換を行い、同期移動通信システムの基地局（ＢＴＳ）３１０に逆方向基本チャンネル（Ｒｅｖｅｒｓｅ  Ｆｕｎｄａｍｅｎｔａｌ  Ｃｈａｎｎｅｌ；Ｒ−ＦＣＨ）を通じてフレームを伝送した後（Ｒ−ＦＣＨ  ｆｒａｍｅｓ）（Ｓ１１３）、ハンドオーバーを完了したことを報告する（ＨＣＭ）（Ｓ１１４）。これにより、移動通信端末１０と同期移動通信システム３０間の接続がなされる。
【００４１】
ついで、基地局（ＢＴＳ）３１０は同期移動通信システムのパケット網と呼設定過程を行うが、まず基地局（ＢＴＳ）３１０がパケット制御機（ＰＣＦ）３２０に呼設定を要請すれば（Ａ−９  ｃｏｎｎｅｃｔｅｄ）（Ｓ１１５）、パケット制御機（ＰＣＦ）３２０がＰＤＳＮ／ＦＡ３４０に位置登録を要請し、その結果を受信する（Ａ１１−Ｒｅｇ．  Ｒｅｑ／ｒｅｐｌｙ）（Ｓ１１６）。また、ＰＤＳＮ／ＦＡ３４０はＳＧＳＮ２４０／ＧＧＳＮ２６０にＰ−Ｐインターフェースを通じて位置登録を要請し、その応答を受信する（Ｐ−Ｐ  Ｒｅｇｉｓｔｒａｔｉｏｎ  ｒｅｑ／ｒｅｐｌｙ）（Ｓ１１７）。
【００４２】
以後、パケット制御機（ＰＣＦ）３２０は基地局（ＢＴＳ）３１０に呼設定が完了したことを報告し（Ａ−９  ｃｏｎｎｅｃｔｅｄ  Ａｃｋ）（Ｓ１１８）、基地局（ＢＴＳ）３１０は交換機（ＭＳＣ）３３０にハンドオーバーが完了したことを報告し（Ｈａｎｄｏｆｆ  Ｃｏｍｐｌｅｔｅ）（Ｓ１１９）、交換機（ＭＳＣ）３３０はＳＧＳＮ２４０／ＧＧＳＮ２６０にハンドオーバーを完了したことを通報（Ｈａｎｄｏｆｆ  Ｃｏｍｐｌｅｔｅ、  ＭＳＯＮＣＨ）する（Ｓ１２０）。ついで、ＳＧＳＮ２４０／ＧＧＳＮ２４０がノードＢ２１０に移動通信端末との接続を解除することを要請する（Ｉｕ  Ｒｅｌｅａｓｅ  Ｃｍｄ）（Ｓ１２１）。
【００４３】
これにより、非同期移動通信システム２０の移動通信端末へのサービスが解除されれば、移動通信端末は、基地局（ＢＴＳ）、パケット制御機（ＰＣＦ）、パケットデータサービスノード（ＰＤＳＮ）を介してＧＧＳＮと接続し、ＩＰ網を通じてＣＰサーバーから提供するパケットデータサービスを続けて利用することができることになる。
【００４４】
図６Ａ及び６Ｂは非同期網と同期網が混在する移動通信網においてドーマント状態にある移動通信端末のハンドオーバー概念図で、移動通信端末１０が非同期領域Ａから同期領域Ｂに移動した場合を例としてあげて説明する。
【００４５】
まず、図６Ａを参照すれば、非同期領域Ａにおいて、移動通信端末は、ノードＢ２１０とのセッションが設定され、モバイルＩＰが割り当てられており、データ信号が発生すれば、ＳＧＳＮ２４０、ＧＧＳＮ２６０を介してＩＰ網４０に接続して、ＣＰサーバー５０から提供するパケットデータサービスを利用することができるドーマント状態にある。
【００４６】
このような移動通信端末１０が非同期領域Ａと同期領域Ｂの重畳領域Ｃを通して次第に同期領域Ｂに接近すれば、非同期移動通信システムのノードＢ２１０と移動通信端末１０間の送受信電力が徐々に減殺され、電力減殺を感知した非同期移動通信システム又は移動通信端末の接近を感知した同期移動通信システムは非同期移動通信システムのＳＧＳＮ２４０／ＧＧＳＮ２６０にハンドオーバーの必要性を報告する。これにより、ＳＧＳＮ２４０／ＧＧＳＮ２６０が同期移動通信システムの基地局３１０にハンドオーバーを命令することで、移動通信端末と同期移動通信システム間の呼設定及びトランク設定がなされる。
【００４７】
本発明において、非同期網のＧＧＳＮ２６０と同期網のＰＤＳＮ３４０がＰ−Ｐインターフェースによって制御信号及びトラフィックを送受信することができるので、移動通信端末１０がノードＢ２１０との接続を解除し、同期網のＢＴＳ３１０と接続しても、非同期網のＧＧＳＮ２６０で割り当てたモバイルＩＰを続けて使用することができるので、同期網で新しいモバイルＩＰを割り当てなくても良い。
【００４８】
結果的に、図６Ｂを参照すれば、同期移動通信システム領域Ｂにハンドオーバーした移動通信端末は、ＢＴＳ３１０、ＰＣＦ３２０、ＰＤＳＮ３４０を介してＰＤＳＮ３４０とＰ−Ｐインターフェースされている非同期移動通信システムのＧＧＳＮ２６０とドーマント状態を維持することになる。
【００４９】
このように、同期移動通信システム領域Ｂにハンドオーバーした移動通信端末は、同期移動通信システムによって非同期移動通信システムとドーマント状態を維持し、以後、データ信号が発生する場合、直ちにパケットデータサービスを利用することができる活性化状態に遷移することになる。
【００５０】
このような過程を図７を参照して具体的に説明すれば次のようである。
図７は本発明の他の実施例によるハンドオーバー方法を説明するためのフローチャートである。
【００５１】
非同期網でドーマント状態にある移動通信端末１０が同期網領域に移動すれば、非同期網のノードＢ２１０は移動通信端末１０との送受信電力減殺を認知して、ハンドオーバーが必要であると判断し、これをＳＧＳＮ２４０／ＧＧＳＮ２６０に報告することで、移動通信端末機が非同期領域から離脱したことを知らせる（ＳＲＮＳ  Ｒｅｌｏｃａｔｉｏｎ  Ｒｅｑｕｉｒｅｄ）（Ｓ２０１）。この時、移動通信端末１０の識別番号を共に伝送する。また、ＳＧＳＮ２４０／ＧＧＳＮ２６０にハンドオーバーの必要性を報告する段階（Ｓ１０１）は、移動通信端末の接近を感知した同期移動通信システムの基地局（ＢＴＳ）３１０で行うことも可能である。
【００５２】
ハンドオーバーの必要性の報告を受けたＳＧＳＮ２４０／ＧＧＳＮ２６０は同期網の基地局（ＢＴＳ）３１０へのハンドオーバーを実行することを命令する（ＳＲＮＳ  Ｒｅｌｏｃａｔｉｏｎ  Ｃｏｍｍａｎｄ）（Ｓ２０２）。また、ノードＢ２１０は移動通信端末にハンドオーバーを指示するが（ＨＡＮＤＯＶＥＲ  ＦＲＯＭ  ＵＴＲＡＮ  ＣＭＤ）（Ｓ２０３）、このメッセージには同期移動通信システム関連メッセージが含まれ、特にチャンネル割当、トラフィックチャンネル進入などと関連した情報が含まれることになる。
【００５３】
以後、移動通信端末は、ＯＲＭ（Ｏｒｉｇｉｎａｔｉｏｎ  Ｍｅｓｓａｇｅ）を利用して基地局（ＢＴＳ）３１０へ発信を試み（ＯＲＭ［ＤＲＳ＝１、ＡＰＮｎａｍｅ］）（Ｓ２０４）、これにより基地局３１０と交換機３３０間に呼処理及びチャンネル割当が実行される。より具体的に説明すれば、移動通信端末の発信試みによって、基地局３１０は交換機にサービス要請メッセージを伝送し（ＣＭ  Ｓｅｒｖ．  Ｒｅｑ．）（Ｓ２０５）、交換機３３０は基地局３１０にチャンネル割当を要請し（Ａｓｓｉｇｎ．  Ｒｅｑ．）（Ｓ２０６）、これを受信した基地局３１０が移動通信端末にチャンネル割当メッセージを伝送する（ＥＣＡＭ；Ｅｘｔｅｎｄｅｄ  Ｃｈａｎｎｅｌ  Ａｓｓｉｇｎｍｅｎｔ  Ｍｅｓｓａｇｅ）（Ｓ２０７）。
【００５４】
ついで、移動通信端末（同期モジュール）と同期移動通信システムの基地局３１０間に呼処理設定関連交渉（ｎｅｇｏｔｉａｔｅ  ａｎｄ  ｃｏｎｎｅｃｔ  ｓｅｒｖｉｃｅ）がなされ（Ｓ２０８）、トランク設定過程が実行される。トランク設定過程はＡ−インターフェースによって実行することができ、より具体的に説明すれば、基地局３１０がパケット制御機（ＰＣＦ）３２０にトランク設定を要請すれば（Ａ９  Ｓｅｔｕｐ−Ａ８）（Ｓ２０９）、パケット制御機３２０がパケットデータサービスノード（ＰＤＳＮ）３４０にトランク設定を要請すれば（Ａ１１  ＲＲＱ）（Ｓ２１０）、非同期網のＳＧＳＮ２４０／ＧＧＳＮ２６０と同期網のパケットデータサービスノード間に接続がなされ（Ｐ−Ｐ  Ｓｅｔｕｐ）（Ｓ２１１）、パケットデータサービスノード３４０は、パケット制御機３２０にトランク設定に対する応答信号を伝送する（Ａ１１  ＲＲＰ）（Ｓ２１２）。以後、パケットデータサービスノード３４０の応答信号をパケット制御機３２０が基地局３１０に伝送する（Ａ９  Ｃｏｎｎｅｃｔ−Ａ８）（Ｓ２１３）。
【００５５】
このように、トランク設定が完了すれば、移動通信端末と基地局３１０間で無線リンクプロトコル（Ｒａｄｉｏ  Ｌｉｎｋ  Ｐｒｏｔｏｃｏｌ；ＲＬＰ）の初期化が実行され（ＲＬＰ  Ｉｎｉｔｉａｌｉｚａｔｉｏｎ）（Ｓ２１４）、基地局３１０は交換機３３０にチャンネル割当が完了したことを報告することにより（Ａｓｓｉｇｎｍｅｎｔ  Ｃｏｍｐｌｅｔｅ）（Ｓ２１５）、移動通信端末が同期移動通信システムのＰＤＳＮ３４０を介して非同期移動通信システムのＧＧＳＮ２６０とドーマント状態を維持することになる。
【００５６】
本発明では、同期移動通信システムのＰＤＳＮ３４０が非同期移動通信システムのＧＧＳＮ２６０とＰ−Ｐインターフェースによって接続されているため、非同期移動通信システムでドーマント状態にある移動通信端末が同期移動通信システムに移動した場合、新しいモバイルＩＰを割り当てないで、非同期移動通信システムで割り当てたモバイルＩＰによって続けてドーマント状態を維持することができる。
【００５７】
図８は本発明による移動通信システムに適用されるプロトコルスタックの一例示図で、図２に示すうなＤＢＤＭ移動通信端末において、共通モジュール１４０が移動通信端末を制御する構造を有する場合に適用可能な使用者平面プロトコルスタックを示す。
【００５８】
本発明において、非同期網のＧＧＳＮ２６０は同期網のＰＤＳＮ３４０とＰ−Ｐインターフェースによって相互に接続しており、よって、ＧＧＳＮ２６０はＩＰ網４０との通信のためのプロトコル、非同期網のＳＧＳＮ２４０との通信のためのプロトコル、及び同期網のＰＤＳＮ３４０との通信のためのプロトコルを有する。三つの場合のプロトコルは共に、コーディング、変造などを実行するための階層（Ｌ１、物理階層）及びメッセージの正確な伝送のための応答を処理するための階層（Ｌ２）を有する。
【００５９】
より具体的に、ＧＧＳＮ２６０は、ＩＰ網４０との通信のために、Ｌ１、Ｌ２の外に、ＩＰ階層、階層（Ｌ２）のトンネリングのための階層を含み、ＳＧＳＮ ２４０とＧｎインターフェースを通じる通信のために、Ｌ１、Ｌ２の外に、ＩＰを使用してデータを伝送するシステムでメッセージ交換を行うＵＤＰ／ＩＰ階層、パケットデータと情報流れを定義するためのＧＴＰ（ＧＰＲＳ  Ｔｕｎｎｅｌｉｎｇ  Ｐｒｏｔｏｃｏｌ）−Ｕ階層を含み、ＰＤＳＮ３４０とＰ−Ｐインターフェースを通じる通信のために、Ｌ１、Ｌ２の外に、ＵＤＰ／ＩＰ階層、パケット暗号化、圧縮などを実行するためのＧＲＥ（Ｇｅｎｅｒｉｃ  Ｒｏｕｔｉｎｇ  Ｅｎｃａｐｓｕｌａｔｉｏｎ）階層、及びリンクの接続と解除のためのリンク管理、同期化問題、流れ制御、エラー制御などを実行するためのＨＤＬＣ（Ｈｉｇｈ−ｌｅｖｅｌ  Ｄａｔａ  Ｌｉｎｋ  Ｃｏｎｔｒｏｌ）フレーミング階層を含む。また、ＳＧＳＮ２４０との通信のためのプロトコルスタック及びＰＤＳＮ３４０との通信のためのプロトコルスタックはＰＰＰ（Ｐｏｉｎｔ−ｔｏ−Ｐｏｉｎｔ  Ｐｒｏｔｏｃｏｌ）階層をさらに含み、データ通信のためのパケットの圧縮、認証、ＩＰ割当などを実行する。
【００６０】
ついで、ＳＧＳＮ２４０はＧＧＳＮ２６０とＧｎインターフェースによって接続され、ＧＧＳＮ２６０で使用するプロトコル変換のために、Ｌ１階層に対応するＬ１ｂｉｓ階層、Ｌ２階層に対応してパケットデータの生成、抽出、交換などを行うＡＴＭ（Ａｓｙｎｃｈｒｏｎｏｕｓ  Ｔｒａｎｓｆｅｒ  Ｍｏｄｅ）階層を含み、そのほかの階層（ＵＤＰ／ＩＰ、ＧＴＰ−Ｕ）で使用するデータに対してはプロトコル変換を行わない。
【００６１】
また、ノードＢ／無線網制御機２１０、２２０はＳＧＳＮ２４０とＩｕインターフェースによって接続され、ＳＧＳＮ２４０で使用するプロトコル変換のために、Ｌ１ｂｉｓ階層に対応するＬ１階層、ＡＴＭ階層に対応してマルチメディアデータ処理のための無線資源割当などを行うＭＡＣ（Ｍｅｄｉａ  Ａｃｃｅｓｓ  Ｃｏｎｔｒｏｌ）階層、ＵＤＰ／ＩＰ階層に対応して移動通信端末と無線リンク設定を実行し、パケットデータの組合せ、分割などを実行するためのＲＬＣ（Ｒａｄｉｏ  ＬｉｎｋＣ  ｏｎｔｒｏｌ）階層、ＧＴＰ−Ｕ階層に対応してパケットデータヘッダーの圧縮などを実行するためのＰＤＣＰ（Ｐａｃｋｅｔ  Ｄａｔａ  Ｃｏｎｖｅｒｇｅｎｃｅ  Ｐｒｏｔｏｃｏｌ）階層を含む。
【００６２】
さらに、移動通信端末の非同期モデム部１２３は、ノードＢ／無線網制御機で使用するプロトコルの変換のために、Ｌ１階層はプロトコル変換を実行しなく、ＭＡＣ／ＲＬＣ／ＰＤＣＰ階層に対応してリンクの接続と解除のためのリンク管理、同期化問題、流れ制御、エラー制御などを実行するためのＨＤＬＣ（Ｈｉｇｈ−ｌｅｖｅｌ  Ｄａｔａ  Ｌｉｎｋ  Ｃｏｎｔｒｏｌ）フレーミング階層を含み、ＧＧＳＮ２６０のＰＰＰ階層によるデータを受信するＰＰＰ階層を含む。
【００６３】
一方、ＰＤＳＮ３４０はＧＧＳＮ２６０とＰ−Ｐインターフェースによって接続されてＧＧＳＮ２６０で使用するプロトコル変換のために、Ｌ１階層に対応するＬ１ｂｉｓ階層、Ｌ２階層に対応してパケットデータの生成、抽出、交換などを行うＡＴＭ（Ａｓｙｎｃｈｒｏｎｏｕｓ  Ｔｒａｎｓｆｅｒ  Ｍｏｄｅ）階層を含み、そのほかの階層（ＵＤＰ／ＩＰ、ＧＴＰ−Ｕ）で使用するデータに対してはプロトコル変換を行わない。
【００６４】
また、基地局／パケット制御機３１０、３２０はＰＤＳＮ３４０とＡ−インターフェースＡ１０によって接続され、ＰＤＳＮ３４０で使用するプロトコル変換のために、Ｌ１ｂｉｓ階層に対応するＬ１階層、ＡＴＭ階層に対応してマルチメディアデータ処理のための無線資源割当などを行うＭＡＣ（Ｍｅｄｉａ  Ａｃｃｅｓｓ  Ｃｏｎｔｒｏｌ）階層、ＵＤＰ／ＩＰ階層に対応して無線区間で発生するエラーを防止するために、エラーが発生したフレームの再伝送を要求するためのＲＬＰ（Ｒａｄｉｏ  Ｌｉｎｋ  Ｐｒｏｔｏｃｏｌ）階層を含む。
【００６５】
さらに、移動通信端末の同期モデム部１３３は、基地局／パケット制御機で使用するプロトコルの変換のために、Ｌ１階層はプロトコル変換を実行しなく、ＭＡＣ／ＲＬＰ階層に対応してリンクの接続と解除のためのリンク管理、同期化問題、流れ制御、エラー制御などを実行するためのＨＤＬＣ（Ｈｉｇｈ−ｌｅｖｅｌ  Ｄａｔａ  Ｌｉｎｋ  Ｃｏｎｔｒｏｌ）フレーミング階層を含み、ＧＧＳＮ２６０のＰＰＰ階層によるデータを受信するＰＰＰ階層を含む。
【００６６】
最後に、移動通信端末の共通モジュール１４０は、非同期モデム部１２３及び同期モデム部１３３で受信したデータのプロトコル変換のために、Ｌ１階層、ＰＰＰ階層、ＩＰ階層、伝送（Ｔｒａｎｓｐｏｒｔ）階層、応用（Ａｐｐｌｉｃａｔｉｏｎ）階層を含む。
【００６７】
本実施例において、非同期モデム部１２３及び同期モデム部１３３は単に通信機能のみを担当し、共通モジュールでＰＰＰとＩＰ階層上位端のプロトコルが設定されることが分かる。
【００６８】
本発明では、非同期網のＧＧＳＮと同期網のＰＤＳＮがＰ−Ｐインターフェースによって接続されているので、移動通信端末１０が非同期モジュール１２０を利用して非同期移動通信システム２０と接続してパケットデータサービスを利用しているうちに移動通信端末１０が同期領域に移動する場合、移動通信端末１０が同期網からパケットデータサービスのためのチャンネルの割当を受けた後、同期網のＰＤＳＮを通じて非同期網のＧＧＳＮを経由してパケットデータサービスを連続的に利用することにより、移動通信端末のハンドオーバー時にもサービス断絶現象を防止することができる。
【００６９】
また、本発明は、非同期網のＧＧＳＮと同期網のＰＤＳＮがＰ−Ｐインターフェースによって接続されているので、移動通信端末１０の非同期モジュール１２０が非同期移動通信システムとドーマント状態にあるうちに移動通信端末１０が同期領域に移動する場合、パケットデータサービスを利用するためのドーマント状態を続けて維持することができる。
【００７０】
以上説明したような本発明は、本発明が属する技術分野の当業者によって、その技術的思想又は必須特徴を変更しなくて他の具体的な形態に実施することができることが理解できるであろう。したがって、以上で説明した実施例はすべての面で例示的なもので限定的なものではないと理解しなければならない。本発明の範囲は前記詳細な説明よりは後述する特許請求範囲によって決められ、特許請求範囲の意味及び範囲、そしてその等価の概念から導出可能なすべての変更又は変形形態が本発明の範囲に含まれると解釈しなければならない。
【産業上の利用可能性】
【００７１】
前述したように、本発明は、非同期網と同期網が混在する移動通信網においてパケットデータサービスのための移動通信システム及びハンドオーバー方法は、非同期移動通信システムと同期移動通信システムが混在する移動通信網において、デュアルバンドデュアルモード移動通信端末を利用したパケットデータサービス利用中のハンドオーバーの際に、非同期網のＧＧＳＮと同期網のＰＤＳＮとのインターフェースによって連続的なサービスを提供することができるので、サービス品質を向上させることができることになる。
【００７２】
また、本発明は、非同期移動通信システムと同期移動通信システムが混在する移動通信網において、非同期移動通信システムでドーマント状態にあるデュアルバンドデュアルモード移動通信端末が同期移動通信システムに移動する場合、非同期移動通信システムのＧＧＳＮと同期移動通信システムのＰＤＳＮとのインターフェースによって新しいモバイルＩＰを割り当てないで続けてドーマント状態を維持するようにすることで、パケットデータサービスに直ちに反応することができ、これによってサービス品質を向上させることができる利点がある。
【図面の簡単な説明】
【００７３】
【図１】本発明が適用される移動通信網の構成図である。
【図２−３】本発明に適用される移動通信端末の構造図である。
【図４Ａ−４Ｂ】非同期網と同期網が混在する移動通信網においてパケットデータサービスのためのハンドオーバー概念図である。
【図５】本発明の一実施例によるハンドオーバー方法を説明するためのフローチャートである。
【図６Ａ−６Ｂ】非同期網と同期網が混在する移動通信網においてドーマント状態にある移動通信端末のハンドオーバー概念図である。
【図７】本発明の他の実施例によるハンドオーバー方法を説明するためのフローチャートである。
【図８】本発明による移動通信システムに適用されるプロトコルスタックの一例示図である。
【図１】
2007518344.tif 000003
【図２】
2007518344.tif 000004
【図３】
2007518344.tif 000005
【図４Ａ】
2007518344.tif 000006
【図４Ｂ】
2007518344.tif 000007
【図５】
2007518344.tif 000008
【図６Ａ】
2007518344.tif 000009
【図６Ｂ】
2007518344.tif 000010
【図７】
2007518344.tif 000011
【図８】
2007518344.tif 000012
【国際調査報告】
2007518344.tif 000013
2007518344.tif 000014